(57)【要約】【課題】吸気口に設けられたフィルタで捕集した埃を自動的に除去し、フィルタ交換の手間を大幅に低減するとともに、フィルタの繰り返し使用を可能とする。【解決手段】機器筐体（１２）の内部に外気を導入するための吸気ファン（１４）を備えた吸気口（１６）をその一部で覆うように機器筐体に取り付けられた円盤状のフィルタ（１８）と、吸気口を覆った状態を維持しつつ該フィルタを周方向に回転させるモータ（２２）と、  前記フィルタで捕集した埃を吸気口と離隔した位置でフィルタから除去する埃除去手段（２４）と、を有する。【選択図】  図２
2008104895.tif 000002
【特許請求の範囲】
【請求項１】
機器筐体（１２）の内部に外気を導入するための吸気ファン（１４）を備えた吸気口（１６）をその一部で覆うように機器筐体に取り付けられた円盤状のフィルタ（１８）と、
吸気口を覆った状態を維持しつつ該フィルタを周方向に回転させるモータ（２２）と、
前記フィルタで捕集した埃を吸気口と離隔した位置でフィルタから除去する埃除去手段（２４）と、
を有する、ことを特徴とするメンテナンスフリーエアフィルタシステム。
【請求項２】
前記フィルタ（１８）をガイドするガイドレール（２６）がさらに設けられ、該ガイドレールは、吸気口（１６）が設けられた機器筐体（１２）の面の全幅又は／および全高からフィルタが大きくはみ出すことがないようにこれを屈曲させて案内する、ことを特徴とする請求項１に記載のメンテナンスフリーエアフィルタシステム。
【請求項３】
機器筐体（１２）の内部に外気を導入するための吸気ファン（１４）を備えた吸気口（１６）をその一部で覆い、一のロール（２８ａ）から送り出され他のロール（２８ｂ）に巻き取られるように機器筐体に取り付けられた帯状のフィルタ（１８）と、
吸気口を覆った状態を維持しつつ該フィルタをいずれのロールにも巻き取り可能な正逆回転の切り替えが可能なモータ（２２）と、
前記フィルタで捕集した埃を吸気口と離隔した位置でフィルタから除去する埃除去手段（２４）と、
を有する、ことを特徴とするメンテナンスフリーエアフィルタシステム。
【請求項４】
前記埃除去手段（２４）は、機器筐体（１２）の内部の空気を排気するための排気口（３２）に備えられた排気ファン（２４ａ）であり、前記吸気口（１６）で捕集された埃は、埃が付着した部分のフィルタを前記排気ファンに被さるように移動させることで排気圧により外部に吹き飛ばされる、ことを特徴とする請求項１乃至３のいずれか一項に記載のメンテナンスフリーエアフィルタシステム。
【請求項５】
前記埃除去手段（２４）は、前記吸気口（１６）で捕集され前記フィルタ（１８）に付着した埃を掻き落とすように、フィルタに接触して配置されたブラシ（２４ｂ）である、ことを特徴とする請求項１乃至３のいずれか一項に記載のメンテナンスフリーエアフィルタシステム。
【請求項６】
前記ブラシ（２４ｂ）は外周に植毛された円筒形状を有し、かつ、該ブラシはこれを軸回転させるモータおよびブラシの毛に接触した状態でブラシの軸と平行に配置・固定された棒材（２５）を備え、
前記ブラシの毛はブラシの軸回転に伴って前記棒材によって撓ませられ、その撓みが開放された際の反発力により前記フィルタ（１８）の表面を叩く、ことを特徴とする請求項５に記載のメンテナンスフリーエアフィルタシステム。
【請求項７】
前記ブラシ（２４ｂ）によって掻き取った埃を集塵するための集塵体（３５）がブラシの近傍に備えられており、該集塵体は埃と反対の極に帯電することで埃を捕集する、ことを特徴とする請求項５又は６に記載のメンテナンスフリーエアフィルタシステム。
【請求項８】
前記フィルタ（１８）は、該フィルタの進行方向に伸びる複数の縦糸と該縦糸と直行する複数の横糸とから構成され、フィルタの外気側に向く面は主として前記縦糸のみからなるメッシュ構造を有する、ことを特徴とする請求項５に記載のメンテナンスフリーエアフィルタシステム。
【発明の詳細な説明】
【技術分野】
【０００１】
本発明は、運転に伴う電子機器の過熱を防止するために機器筐体の内部に外気を導入するための吸気ファンを備えた吸気口に設けられるエアフィルタに関し、より詳細には、吸気口で捕集した埃をフィルタから自動的に除去することで、フィルタ交換の手間を大幅に低減したメンテナンスフリーエアフィルタシステムに関するものである。
【背景技術】
【０００２】
一般にＣＰＵなどの電子機器の多くはその稼動によって熱を発生することが多い。ここで機器の内部が高温となると、熱暴走など機器が正常に動作しない事態を招来する虞があるため、多くの場合電子部品を収容した機器筐体には吸気口と排気口が形成される。このとき機器筐体内部に外気を効率的に導入するために、吸気口には吸気ファンを設けることが一般化している。
【０００３】
業務用の電子機器においては定期的にその保守・点検作業が行われるが、その主な項目に吸気口に取り付けたフィルタなどの消耗品の交換がある。これはＣＰＵなどの電子部品の不具合への対応は多くの場合、リモートメンテナンスにより現地に出向かなくとも対応可能である一方、フィルタに付着する埃など、外部的要素に関連する不具合の発生を防止するためのメンテナンスはリモートメンテナンスが不可能であり、サービスマンが現地に出向いてフィルタ交換等の作業を行うしかないためである。
また個人用・一般用のパソコン等の電子機器においては、機器筐体の吸気口にフィルタが設けられる場合であっても、その交換は忘れられがちであるのが実情であり、フィルタに多くの埃が付着すると、吸気障害によって電子機器に不具合が生じる虞があった。
【０００４】
消耗品であるフィルタの交換を容易化する発明としては、例えば特許文献１の「使捨フィルタを備えた空調装置」がある。この発明はフィルタロールを用い、汚染されたフィルタを簡易に切除すると同時にきれいなフィルタを吸気口に装着するものである。
【特許文献１】特開平１０−６２００９号公報
【発明の開示】
【発明が解決しようとする課題】
【０００５】
上記特許文献１に記載の発明によれば汚染されたフィルタの交換は容易化されるものの、フィルタが汚れたことを人が判断し、人の手によってフィルタロールからフィルタを引き出して切り取らなければならず、メンテナンスのためにサービスマンが現地に出向かなければいけないことに変わりはなかった。また汚れたフィルタは切り取って廃棄されるため二度と使用されることはなく、環境負荷増大の一因となっていた。
【０００６】
本発明は、上記課題を解決するためになされたもので、機器筐体内部への埃の侵入を防止するために吸気口に設けられたフィルタで捕集した埃を自動的に除去し、フィルタ交換の手間を大幅に低減するとともに、フィルタの繰り返し使用を可能としたメンテナンスフリーエアフィルタシステムを提供することを目的とする。
【課題を解決するための手段】
【０００７】
上記目的を達成するため請求項１に記載のメンテナンスフリーエアフィルタシステムは、機器筐体（１２）の内部に外気を導入するための吸気ファン（１４）を備えた吸気口（１６）をその一部で覆うように機器筐体に取り付けられた円盤状のフィルタ（１８）と、吸気口を覆った状態を維持しつつ該フィルタを周方向に回転させるモータ（２２）と、前記フィルタで捕集した埃を吸気口と離隔した位置でフィルタから除去する埃除去手段（２４）と、を有する、ことを特徴とする。
【０００８】
請求項２に記載のメンテナンスフリーエアフィルタシステムは、請求項１に記載の発明において、前記フィルタ（１８）をガイドするガイドレール（２６）がさらに設けられ、該ガイドレールは、吸気口（１６）が設けられた機器筐体（１２）の面の全幅又は／および全高からフィルタが大きくはみ出すことがないようにこれを屈曲させて案内する、ことを特徴とするものである。
【０００９】
請求項３に記載のメンテナンスフリーエアフィルタシステムは、機器筐体（１２）の内部に外気を導入するための吸気ファン（１４）を備えた吸気口（１６）をその一部で覆い、一のロール（２８ａ）から送り出され他のロール（２８ｂ）に巻き取られるように機器筐体に取り付けられた帯状のフィルタ（１８）と、吸気口を覆った状態を維持しつつ該フィルタをいずれのロールにも巻き取り可能な正逆回転の切り替えが可能なモータ（２２）と、前記フィルタで捕集した埃を吸気口と離隔した位置でフィルタから除去する埃除去手段（２４）と、を有する、ことを特徴とする。
【００１０】
ここで請求項４に記載のように、前記埃除去手段（２４）は、機器筐体（１２）の内部の空気を排気するための排気口（３２）に備えられた排気ファン（２４ａ）であり、前記吸気口（１６）で捕集された埃は、埃が付着した部分のフィルタを前記排気ファンに被さるように移動させることで排気圧により外部に吹き飛ばされる、ことが好ましい。
【００１１】
また請求項５に記載のように、前記埃除去手段（２４）は、前記吸気口（１６）で捕集され前記フィルタ（１８）に付着した埃を掻き落とすように、フィルタに接触して配置されたブラシ（２４ｂ）である、ことが好ましい。
【００１２】
ここで前記ブラシ（２４ｂ）は外周に植毛された円筒形状を有し、かつ、該ブラシはこれを軸回転させるモータおよびブラシの毛に接触した状態でブラシの軸と平行に配置・固定された棒材（２５）を備え、前記ブラシの毛はブラシの軸回転に伴って前記棒材によって撓ませられ、その撓みが開放された際の反発力により前記フィルタ（１８）の表面を叩く、ようにすることも好ましい。
【００１３】
また前記ブラシ（２４ｂ）によって掻き取った埃を集塵するための集塵体（３５）がブラシの近傍に備えられており、該集塵体は埃と反対の極に帯電することで埃を捕集する、ようにすることも好ましい。
【００１４】
さらに請求項６に記載のメンテナンスフリーエアフィルタシステムは、請求項５に記載の発明において、前記フィルタ（１８）は、該フィルタの進行方向に伸びる複数の縦糸と該縦糸と直行する複数の横糸とから構成され、フィルタの外気側に向く面は主として前記縦糸のみからなるメッシュ構造を有する、ことを特徴とする。
【発明の効果】
【００１５】
請求項１に記載のメンテナンスフリーエアフィルタシステムによれば、吸気口をその一部で覆う円盤状のフィルタとこれを回転させるモータを用い、自動で周期的にフィルタを周方向に回転させ、フィルタが吸気口を覆った状態を維持しつつ、フィルタの埃が付着していない面を吸気口上にずらすことで、フィルタ交換と同様の効果を自動的に達成することができる。
ここでフィルタで捕集した埃を、吸気口と離隔した位置で自動で除去するための埃除去手段を用いて除去することで、円盤状のフィルタを繰り返し使用することが可能となる。これによりフィルタのメンテナンスフリー化（メンテナンス頻度の低減）を実現することができ、また廃棄物の減少による環境負荷軽減にも貢献することができる。
【００１６】
請求項２に記載のメンテナンスフリーエアフィルタシステムでは、フィルタを屈曲させて案内するガイドレールを設けることで、そのままでは多くの場合、吸気口が設けられた機器筐体の面からはみ出してしまう円盤状のフィルタを、機器筐体の面の全幅又は／および全高から大きくはみ出さないようにすることができる。またこのガイドレールは、埃が付着したフィルタ部分を一度屈曲させるため、フィルタへの埃の密着度を低下させることができ、その後の埃除去手段による埃の除去を容易化するといった副次的効果も発揮する。
【００１７】
請求項３に記載のメンテナンスフリーエアフィルタシステムでは、２つのロール間でモータの動力を利用した自動的な送り出し・巻き取りが可能な帯状のフィルタを用いることで、請求項１に記載の発明と同様に、フィルタのメンテナンスフリー化を実現することができ、また廃棄物の減少による環境負荷軽減にも貢献することができる。また帯状のフィルタは、円盤状のフィルタに比べてその総フィルタ面積を大きくし易いため、ロール状のフィルタの交換頻度をより一層低減することができる。
【００１８】
請求項４に記載のメンテナンスフリーエアフィルタシステムでは、埃除去手段として機器筐体の内部の空気を排気するための排気口に備えた排気ファンを利用し、その排気圧によってフィルタに付着した埃を吹き飛ばすことで、フィルタの目詰まりを効率的に解消してその再利用を可能とすることができる。なお吸気ファンに加えて排気ファンを機器筐体に備えてやれば、機器筐体内部への外気の取り込みおよび取り込んだ空気の循環の効率が向上することは言うまでもない。
【００１９】
請求項５に記載のメンテナンスフリーエアフィルタシステムでは、埃除去手段としてフィルタの埃が付着した面に接触するようにブラシを配置することで、排気ファンがない機器筐体においてもフィルタに付着した埃を掻き落とすことができ、フィルタの目詰まりを効率的に解消してその再利用を可能とすることができる。なおこのブラシは排気ファンがある機器筐体においても利用することができることは当然である。
【００２０】
請求項６に記載のメンテナンスフリーエアフィルタシステムでは、外周に植毛された円筒形状のブラシをモータの動力によって軸回転させるとともに、ブラシの軸と平行に配置・固定した棒材によってブラシを一旦撓ませ、その撓みが開放された際の反発力によりフィルタの表面を叩くようにすることで、フィルタに付着した埃を効率的に叩き落すことができる。
【００２１】
請求項７に記載のメンテナンスフリーエアフィルタシステムでは、ブラシの近傍に集塵体を備えるとともに、この集塵体を埃と反対の極に帯電させることで、ブラシによりフィルタから除去した埃を効率的に捕集することができ、一旦除去した埃が吸気口部分でフィルタに再び付着することを防止することができる。
【００２２】
請求項８に記載のメンテナンスフリーエアフィルタシステムでは、埃を捕集するフィルタを、フィルタの進行方向に伸びる縦糸とこれに直行する横糸から構成し、フィルタの外気側に向く面を主として縦糸のみからなるメッシュ構造とすることで、ブラシによる埃の掻き取り効率を向上させることができる。
【発明を実施するための最良の形態】
【００２３】
本発明は、業務用のサーバコンピュータや個人用・一般用のパソコンなどの電子機器を構成する電子部品の冷却のために、機器筐体に形成された吸気口から機器筐体内部に外気を強制的に導入するための吸気ファンとともに用いられ、機器筐体内部への埃の侵入を防止するためのフィルタに関するものであり、より詳細にはフィルタで捕集した埃を自動的に除去し、フィルタ交換の手間を大幅に低減するメンテナンスフリーエアフィルタシステムを提供するものである。
以下、代表的な電子機器の構造およびその大きさの一例をまず示し、続いてこの機器筐体に適用される本発明のメンテナンスフリーエアフィルタシステムについて説明する。
【００２４】
図１（ａ）は一般的なサーバコンピュータを背面側から見た斜視図であり、図１（ｂ）はサーバコンピュータの内部構造を示すための側面透視図である。図に示したサーバコンピュータは、縦×幅×奥行が４０ｃｍ×１０ｃｍ×４０ｃｍ程度のほぼ直方体形状の機器筐体１２の内部に、破線で示したＣＰＵやメモリなどの電子機器を搭載したマザーボード（Ｍ／Ｂ）、ハードディスクドライブ（ＨＤＤ）、電源装置などを収容した装置である。
機器筐体１２の背面の下部には筐体内部に外気を強制的に取り入れるために吸気ファン１４が取り付けられた多数のスリットから形成された直径７ｃｍ程度の吸気口１６が形成されており、その上方には機器筐体内部の空気を排気するための直径７ｃｍ程度の排気口３２が形成されている。吸気口１６から取り入れられた外気は、機器筐体内部の電子部品を冷却して暖ためられた後に、吸気口から取り入れられた外気に押し出されるようにして排気口３２から排気される。
【実施例１】
【００２５】
図２は実施例１のメンテナンスフリーエアフィルタシステム１０を適用したサーバコンピュータを背面側から見た斜視図（図２（ａ））および内部構造を示すための側面透視図（図２（ｂ））である。本実施例のメンテナンスフリーエアフィルタシステム１０は、概してフィルタ１８、モータ２２、ガイドレール２６および埃除去手段２４から構成されている。
【００２６】
このサーバコンピュータの背面に設けられた吸気口上（吸気口外側）には、その一部で吸気口１６を覆うように、半径１０ｃｍ程度の円盤状のフィルタ１８が取り付けられている。なお排気口上（排気口外側）には、フィルタは被せられておらず開放されている。
このフィルタ１８には、外気中の埃を捕集しかつ外気の取り入れを妨げない程度の細かさの網目状の布や不織布など様々なものを用いることができるが、後述するブラシ２４ｂによる埃の掻き取りを行いやすくするため、ここでは同心円状に伸びる複数の縦糸とこの縦糸と直行する径方向に伸びる横糸からなるメッシュ構造を有する布が用いられている。なおこのメッシュ構造のフィルタの外気側に向く面は主として縦糸のみからなっている。
またこのフィルタ１８の中心部からは、柔軟性に富んだ細棒３１が等間隔に６本放射状に伸長している。この細棒３１の先端は、フィルタ１８の外縁を縁取りする柔軟な環状の枠（ガイドレール２６と重なり図面には表れていない）と連結されており、細棒３１および枠はフィルタ１８を支える骨材をなしている。なおフィルタ１８は以下に説明するモータ２２によって回転するようになっている。
【００２７】
図２（ｂ）に示したように、機器筐体１２にはフィルタ１８を周方向に回転させるためのモータ２２が取り付けられており、このモータの回転軸先端はフィルタの中心に位置する骨材に固定されている。なおこのモータ２２への電力の供給はマザーボードから行われ、例えば１週間に７／６回転だけ回転するように制御される。
また吸気効率を測定するセンサを吸気口１６に設け、吸気効率が所定値よりも低くなった場合にフィルタ１８を例えば７／６回転させるようにしてやってもよい。
【００２８】
また上記フィルタ１８は、その外縁の枠をガイドレール２６に案内され、ガイドレールの形状に沿って周方向に回転される。このガイドレール２６は、そのままでは機器筐体１２の背面の全幅（左右）からはみ出すこととなる円盤状のフィルタ１８の左右部分を後方（機器筐体１２の背面から離れる方向）へ滑らかに屈曲させる平面形状が略コの字型形状の翼状枠である。すなわちフィルタ１８は、この翼状枠に案内されることで、その一部で吸気口１６を覆う一方、その左右が機器筐体背面の全幅からはみ出すことを防止されている。
【００２９】
さらに吸気口１６の上側位置には、吸気口で捕集されてフィルタ１８に付着した埃を掻き落とすための埃除去手段２４が設けられている。この埃除去手段２４は、その長さが７ｃｍ程度の縦長のブラシ２４ｂであり、その一端が機器筐体１２に固定され他端がフィルタ１８中心部に向かって伸長し、ブラシの毛の先端が外気側からフィルタ面に接触するように配置されている。ブラシ２４ｂの毛は、フィルタ１８が回転することでフィルタを構成する同心円状に並んだ複数の縦糸の目地に沿って、フィルタ面に付着した埃の多くを掻き落とす。
【００３０】
以上に説明した本実施例のメンテナンスフリーエアフィルタシステム１０では、吸気ファン１４の吸引力によって吸気口１６から機器筐体１２内に取り入れる外気中の埃を、フィルタ１８によって捕集するのは勿論、円盤状のフィルタをモータ２２によって定期的に回転させて埃の付着していないフィルタ面を吸気口上にずらすことで、フィルタ交換と同じ効果を自動的に達成することができ、サービスマンによる現地でのメンテナンスの頻度を低減させることができる。また、埃除去手段２４を設けることにより、繰り返してフィルタ１８を使用することが可能となるため、現地でのメンテナンスの頻度をより一層低減することができるとともに、廃棄物の減少による環境負荷軽減にも貢献することができる。なおブラシである埃除去手段２４による埃の掻き落とし前に、フィルタ１８はガイドレール２６によって屈曲させされているため、フィルタ面への埃の密着度が低下し、ブラシ２４ｂによるその掻き落としが容易化される。
【実施例２】
【００３１】
本実施例のメンテナンスフリーエアフィルタシステム１０は、排気口３２に強制排気用の排気ファン２４ａが設けられた機器筐体１２に適用されるものである。なお排気ファン２４ａは上述した吸気ファン１４と同様のものであり、そのファンを逆方向に回転させて利用される。
以下本実施例のメンテナンスフリーエアフィルタシステム１０について説明するが、実施例１と同様の構成については、図面に同様の番号を付することで重複する説明を省略する。
【００３２】
図３に実施例２のメンテナンスフリーエアフィルタシステム１０を採用したサーバコンピュータを示した（図３（ａ）は背面側から見た斜視図、図３（ｂ）は内部構造を示すための側面透視図）。本実施例のメンテナンスフリーエアフィルタシステム１０は、概してフィルタ１８、モータ２２、ガイドレール２６および埃除去手段２４とから構成されている。
【００３３】
このサーバコンピュータの背面に設けられた吸気口１６および排気口３２の外側には、その一部で吸気口１６および排気口３２を覆うように、半径１５ｃｍ程度の円盤状のフィルタ１８が取り付けられている。
図に示した本実施例では、埃除去手段２４として実施例１で用いたブラシ２４ｂは採用されておらず、排気ファン２４ａが埃除去手段２４となっている。なおこのことは排気ファン２４ａを備えた機器筐体１２に本発明を適用する場合に、埃除去手段２４としてブラシを採用することを禁止することを意味するものではなく、排気ファンおよびブラシを埃除去手段として併用することも勿論可能である。
【００３４】
本実施例のメンテナンスフリーエアフィルタシステム１０では、吸気口上で埃を捕集したフィルタ面がモータ２２によって定期的に回転させられ、埃の付着していないフィルタ面が吸気口上に来ることは実施例１と同様であるが、埃が付着したフィルタ面を排気口上に移動することで、排気ファン２４ａの排気圧によってフィルタ１８から埃が引き剥がされるように吹き飛ばされる。これによりフィルタ１８の繰り返し使用が可能となり、フィルタの交換頻度を低減することができる。
【実施例３】
【００３５】
本実施例のメンテナンスフリーエアフィルタシステム１０も、実施例２と同様に排気口３２に強制排気用の排気ファン２４ａが設けられた機器筐体１２に適用することを主目的としているが、排気ファン２４ａが設けられていない機器筐体への適用も可能である。
【００３６】
図４に実施例２のメンテナンスフリーエアフィルタシステム１０を採用したサーバコンピュータを示した（図４（ａ）は背面側から見た斜視図、図４（ｂ）は内部構造を示すための側面透視図）。本実施例のメンテナンスフリーエアフィルタシステム１０は、概してフィルタ１８、モータ２２、埃除去手段２４および集塵体３５とから構成されている。
【００３７】
このサーバコンピュータの背面に設けられた吸気口１６および排気口３２の外側には、吸気口１６および排気口３２を覆うように幅８ｃｍ程度の帯状のフィルタ１８が配置される。
このフィルタ１８は、図４（ｂ）に示すように吸気口１６の下側に配置された一のロール２８ａから送り出され、排気口３２の上側に配置された他のロール２８ｂに巻き取られるようにして機器筐体１２に取り付けられており、２メートル程度の全長を有している。
またこのフィルタ１８は、その進行方向に伸びる複数の縦糸と縦糸と直行する複数の横糸とから構成され、フィルタ１８の外気側に向く面は主として縦糸のみからなるメッシュ構造を有している。
【００３８】
ロール２８ｂにはロール２８ａを回転させるためのモータ２２が取り付けられ、また２つのロールはベルト３３（または歯車）によって連動するようになっている。そのため、一のロール２８ａからのフィルタ１８の送り出しと他のロール２８ｂへのフィルタの巻き取りはモータ２２の動力によって同時に行われる。ロールの回転は、例えば一週間に一回程度、吸気口上のフィルタ面が新たなフィルタ面となる長さ分だけ行われる。
ここでこのモータ２２は正逆回転の切り替えが可能であり、一のロール２８ａから全てのフィルタ１８が送り出され他のロール２８ｂに全てのフィルタの巻き取られた後は、逆回転することでフィルタの往復運動が行われる。
【００３９】
なお本実施例では実施例１や実施例２のようにガイドレールは設けられていないが、フィルタ１８の両側をガイドする直線状のガイドレールを、２つのロール間に設けることも好ましい（図示せず）。
【００４０】
また図５に概略を拡大して模式的に示したように、排気口３２の手前には、フィルタ１８に付着した埃を掻き落とすための毛が外周に植毛された長さが９ｃｍ程度の円筒形状の横長のブラシ２４ｂが、毛の先端が外気側のフィルタ面に接触するようにフィルタを跨ぐように配置されている。またこのブラシはブラシの毛の先端に接触した状態でブラシの軸と平行に配置・固定された棒材２５を備えており、ロール２８ａを回転させるためのモータの動力を利用して軸回転するようになっている。すなわちブラシの毛はブラシの軸回転に伴って棒材に側方から押し付けられることで撓み、その撓みが開放された際の反発力によりフィルタ１８の表面を叩くようになっている。これによりフィルタの表面に付着した埃が叩き落されることとなる。なお図面は省略するが上記ブラシに替えてまたは上記ブラシとともに、フィルタに接触する振動子を用いフィルタの一部又は全部を振動させることで、フィルタに付着した埃を振るい落とす機構を設けてやることも好ましい。
【００４１】
さらにブラシ２４ｂの下方近傍には、ブラシによって掻き取った埃を集塵するための集塵体３５が備えられている。この集塵体はブラシの軸方向長さとほぼ同じ長さの横長の金属板であり、埃と反対の極に帯電させられることでブラシが掻き落とした埃を効率的に捕集し、一旦除去した埃が吸気口部分でフィルタに再び付着することを防止する役割を有する。
【００４２】
本実施例のメンテナンスフリーエアフィルタシステム１０では、吸気口上で埃を捕集したフィルタ面を、モータ２２によってロール２８ａ，２８ｂを定期的に回転させることでずらし、埃の付着していないフィルタ面が吸気口上に来るように移動させ、また、埃が付着したフィルタ面をブラシ２４ｂで擦った後に排気口３２上に移動することで、フィルタ１８に付着した埃を効率的に吹き飛ばすことができる。これによりフィルタ１８を繰り返し使用することが可能となる。また本実施例では帯状のフィルタ１８を使用することで、円盤状のフィルタを使用するのと比べて、多くのフィルタ面を確保することができ、現地でのメンテナンスの頻度をさらにより一層低減することができるようになる。
【００４３】
なお全ての実施例において１年に１回程度は、フィルタ交換や各種ファンの交換など現地でのメンテナンス作業が必要となる。そのため、機器筐体の背面を扉状に開閉可能な構造とし、この背面にワンタッチ式で着脱が可能なファンやフィルタ、モータ等を取り付けるようにすることで、メンテナンス作業の容易化を図ることも好ましい。
【００４４】
以上に説明したように、本発明によれば、フィルタ交換の手間を大幅に低減することができるとともに、フィルタの繰り返し使用による廃棄物の減少をも達成することができる。
【００４５】
なお、本発明の構成は上述したものに限られるものではなく、発明の趣旨を逸脱しない範囲で適宜変更することができるのは勿論である。例えば吸気口や排気口の位置が機器筐体の上面や側面、底面などにある場合や、フィルタを筐体内部に設ける場合にも、本発明を適用することができる。
【図面の簡単な説明】
【００４６】
【図１】一般的なサーバコンピュータを示した図である。
【図２】実施例１のメンテナンスフリーエアフィルタシステムを適用したサーバコンピュータを示した図である。
【図３】実施例４のメンテナンスフリーエアフィルタシステムを適用したサーバコンピュータを示した図である。
【図４】実施例３のメンテナンスフリーエアフィルタシステムを適用したサーバコンピュータを示した図である。
【図５】実施例３のブラシ等を拡大して模式的に示した概略図である。
【符号の説明】
【００４７】
１０  メンテナンスフリーエアフィルタシステム
１２  機器筐体
１４  吸気ファン
１６  吸気口
１８  フィルタ
２２  モータ
２４  埃除去手段
２４ａ  排気ファン
２４ｂ  ブラシ
２５  棒材
２６  ガイドレール
２８ａ，２８ｂ  ロール
３１  細棒
３２  排気口
３３  ベルト
３５  集塵体
【図１】
2008104895.tif 000003
【図２】
2008104895.tif 000004
【図３】
2008104895.tif 000005
【図４】
2008104895.tif 000006
【図５】
2008104895.tif 000007